(57)【要約】【課題】一時的に高濃度で流下するし渣を調節し、送水ポンプの閉塞を回避して、同時にし渣の悪臭も防止できるし渣の圧送方法と圧送装置を提供する。【解決手段】吸水槽（４）の前段に除塵機（３）を配設し、この除塵機（３）で掻揚げたし渣を搬送に適した形状に破砕する破砕機（９）と、破砕したし渣を一時貯留するホッパー（１０）と、貯留したし渣を抜き出すし渣圧入ポンプ（１１）を設けると共に、吸水槽（４）に設置した送水ポンプ（１３）の吐出配管（１４）にし渣圧入ポンプ（１１）を連結し、破砕したし渣を送水ポンプ（１３）の吐出水とともに目的地まで圧送するもので、送水ポンプ（１３）の閉塞がなく、し渣を場外搬出することなくポンプ設備（１）で集約処理が可能となる。そして、ホッパー（１０）に一時貯留するので、降雨初期の大量のし渣の流入にも対処でき、特別な脱臭装置を必要としない。【選択図】      図１
2004358374.tif 000002
【特許請求の範囲】
【請求項１】
ポンプ設備（１）に流入するし渣を捕集・破砕して一時貯留し、一定濃度となるように送水ポンプ（１３）の吐出配管（１４）側に破砕したし渣を圧入し、ポンプの吐出水と共に目的地までし渣を圧送することを特徴とするし渣の圧送方法。
【請求項２】
降雨初期の高濃度し渣を除塵機（３）で掻揚げ、破砕機（９）で搬送に適した形状に全量破砕してホッパー（１０）に一時貯留し、貯留したし渣を送水ポンプ（１３）の吐出配管（１４）にし渣圧入ポンプ（１１）で圧入し、し渣の流入濃度を低減させて平均化することを特徴とする請求項１に記載のし渣の圧送方法。
【請求項３】
ポンプ設備（１）に流入したし渣を、後工程に移送するし渣の圧送装置において、吸水槽（４）の前段に除塵機（３）を配設し、この除塵機（３）で掻揚げたし渣を搬送に適した形状に破砕する破砕機（９）と、破砕したし渣を一時貯留するホッパー（１０）と、ホッパー（１０）に貯留したし渣を抜き出すし渣圧入ポンプ（１１）を設けると共に、吸水槽（４）に設置した送水ポンプ（１３）の吐出配管（１４）にし渣圧入ポンプ（１１）を連結し、破砕したし渣を送水ポンプ（１３）の吐出水とともに目的地まで圧送することを特徴とするし渣の圧送装置。
【請求項４】
上記送水ポンプ（１３）の吐出配管（１４）に汚水処理場（１５）に送水する送水管（１６）と公共水域（７）に排水する排水管（１７）を分岐して連結し、送水管（１６）と排水管（１７）に開閉弁（１８、１９）を配設したことを特徴とする請求項３に記載のし渣の圧送装置。
【請求項５】
上記送水ポンプ（１３）の吐出配管（１４）に連結するし渣圧入ポンプ（１１）を、汚水処理場（１５）に排水する送水管（１６）の前端部に連結したことを特徴とする請求項３または４に記載のし渣の圧送装置。
【発明の詳細な説明】
【０００１】
【発明の属する技術分野】
この発明は、降雨初期に下水道などの導水路に滞留する異物が、一時的に高濃度でポンプ設備に流入する。この高濃度のし渣を、後工程に移送するし渣の圧送方法並びに圧送装置の改良に関する。
【０００２】
【従来の技術】
下水道のポンプ、特に、合流式ポンプにおいては、降雨初期には導水路内に滞留していた異物が一時的に高濃度で流下し、ポンプ設備に至ることが多い。この異物を取り除くことなくポンプ運転を行うと、ポンプ内部の羽根車の部分で容易に閉塞し、ポンプ運転を継続することができなくなる。ポンプ流入以前に除去する必要があり、除去設備としては除塵機が用いられるのが一般的であり、分離された異物をし渣と呼んでいる。このし渣は水分を多く含み腐敗しやすく、また臭気も強いので、取り扱いも困難である。場外処分の際には周辺環境へ悪影響を及ぼすこともある。
【０００３】
分流水などの小流量の汚水や、中継ポンプ場及びマンホールポンプ場などの汚水ポンプ設備においては、ポンプ吸水槽の前に破砕機を設置して、異物を汚水とともに吸水・圧送する方式を採用する事例が多い。合流式の場合には、高濃度し渣によるポンプや管路の閉塞とか放流先負荷による公共水の汚染や汚濁防止を考慮して行われない。更に、この高濃度し渣の流下は、降雨初期の３０分乃至１時間程度であり、それ以降は低濃度となるのが一般的である。ポンプ吸水槽の前に破砕機を設置したし渣搬送装置としては、沈砂池から回収されるし渣を破砕する破砕機にジェットポンプを連結し、し渣をスラリーとして分離機に移送する装置が、特許文献１に記載してある。また、集合されたし渣は調整槽に投入された後、ピストンポンプによりし渣貯留ホッパーまで圧送する装置も特許文献２に記載してあるように公知である。
【０００４】
【特許文献１】
特開平１１−１９９０４７号公報（段落番号０００７、図１）
【特許文献２】
特開平１１−３４２３０６号公報（段落番号００１５、図１）
【０００５】
【発明が解決しようとする課題】
上記従来装置は、除塵機で掻揚げたし渣を破砕機で破砕して、ポンプにより吸込・圧送しているが、この際においても、高濃度すぎるとポンプ内部での閉塞があった。そして、し渣を調整槽に混合した場合、し渣が水面に浮かびスカムを形成してポンプ圧送に弊害を与えていた。基本的には密閉状態で設備・システムの構築ができず、し渣の臭気による周辺環境へ悪影響を及ぼすこともあった。この発明は、一時的に高濃度で流下するし渣を調節し、送水ポンプの閉塞を回避して、同時にし渣の悪臭も防止できるし渣の圧送方法と圧送装置の提供を目的とする。
【０００６】
【課題を解決するための手段】
上記目的を達成するためのし渣の圧送方法は、ポンプ設備に流入するし渣を捕集・破砕して一時貯留し、一定濃度となるように送水ポンプの吐出配管側に破砕したし渣を圧入し、ポンプの吐出水とともに目的地までし渣を圧送するもので、ポンプ内をし渣が通過しないのでポンプの閉塞と、羽根車の損傷が防止できる。詳しくは、降雨初期の高濃度し渣を除塵機で掻揚げ、破砕機で搬送に適した形状に全量破砕してホッパーに一時貯留し、貯留したし渣を送水ポンプの吐出配管にし渣圧入ポンプで圧入し、し渣の流入濃度を低減させて平均化するもので、初期の大量のし渣の流入にも対処でき、特別な脱臭装置を必要としない。
【０００７】
し渣の圧送方法を実施するための圧送装置が、ポンプ設備に流入したし渣を、後工程に移送するし渣の圧送装置において、吸水槽の前段に除塵機を配設し、この除塵機で掻揚げたし渣を搬送に適した形状に破砕する破砕機と、破砕したし渣を一時貯留するホッパーと、ホッパーに貯留したし渣を抜き出すし渣圧入ポンプを設けると共に、吸水槽に設置した送水ポンプの吐出配管にし渣圧入ポンプを連結し、破砕したし渣を送水ポンプの吐出水とともに目的地まで圧送するもので、建屋内からの搬出などが不要でポンプ設備で集約処理が可能となる。周辺環境を汚すことがなく作業が衛生的である。そして、送水ポンプの吐出配管に汚水処理場に送水する送水管と公共水域に排水する排水管を分岐して連結し、送水管と排水管に開閉弁を配設したもので、深度の深い設備の場合、地上部までし渣を出すことが必要となるが、搬出設備、スペース、脱臭装置が過大となることがない。なお、送水ポンプの吐出配管に連結するし渣圧入ポンプを、汚水処理場に送水する送水管の前端部に連結してもよいものである。
【０００８】
【発明の実施の形態】
この発明に係るし渣圧送方法並びに圧送装置は上記のように構成してあり、先ず、流入側に設置の除塵機によりし渣を掻揚げ、流入水より分離する。し渣を分離した水には、公共水域や汚水処理場にも送水するポンプの弊害となるし渣は含まれず、ポンプも閉塞しない。除塵機により掻揚げられたし渣は、搬送に適した形状に破砕機により破砕して、ホッパーに一時貯留する。このホッパーの役割は、降雨初期の高濃度し渣を全量破砕圧送すると、高濃度になりすぎ、管内閉塞などを起こす可能性があるので、流入濃度が低減して平均化するために設置する。そして、ホッパーに貯留されたし渣は、し渣圧入ポンプなどで送水ポンプのポンプ吐出部へ圧入し、ポンプ送水と混合して所定部まで圧送する。し渣はポンプ内を通過しないのでポンプの閉塞と、羽根車の損傷がない。
【０００９】
【実施例】
この発明の実施例を図面に基づき詳述すると、図１はし渣圧送システムの概要図であって、ポンプ設備１の流入側の導水路２に除塵機３が設置してあり、降雨初期の３０分乃至１時間程度に、上流の導水路２内に滞留していた異物が一時的に高濃度で流下してくる。そのし渣を除塵機３で掻揚げ、流入水より分離する。し渣を分離した水にはポンプ送水の弊害となるし渣は含まれず、吸水槽４に設置した排水ポンプ５、６は閉塞することなく、羽根車の損傷もなく、ポンプ吸水槽４に流入する水を、河川などの公共水域７に放水する。
【００１０】
除塵機３により掻揚げられたし渣は、コンベア８で搬送されて破砕機９に供給される。し渣は搬送に適した形状に破砕され、貯留設備のホッパー１０に一時貯留する。このホッパー１０の役割は、降雨初期の高濃度し渣を一時貯留して、目的地への送水中のし渣の流入濃度を低減させて、平均化するために設置する。し渣を貯留するホッパー１０にし渣圧入ポンプ１１が配設してあり、し渣圧入ポンプ１１の圧送管１２が吸水槽４に設置した１台の送水ポンプ１３の吐出配管１４に連結してある。吐出水にし渣を圧入させるようにしてあり、送水ポンプ１３の閉塞しやすい羽根車の部分をし渣が通過しないようにしてある。
送水ポンプ１３の吐出配管１４に汚水処理場１５に送水する送水管１６と公共水域７に排水する排水管１７が分岐して連結してあり、送水管１６と排水管１７に開閉弁１８、１９が配設してある。この一対の開閉弁１８、１９を切り替えて、し渣の流入が無い時には、送水ポンプ１３を公共水域７への排水に利用できるようにしてある。
【００１１】
降雨初期に流入してきた高濃度し渣はホッパー１０に貯留され、ホッパー１０に配設したし渣圧入ポンプ１１で送水ポンプ１３の吐出配管１４へ圧入し、し渣の流入濃度を低減させて平均化させながら、送水ポンプ１３の吐出水と混合して地上の汚水処理場１５まで圧送する。ホッパー１０に一時貯留するので、全量破砕圧送による吐出水中のし渣が高濃度となることがなく、吐出配管１４や送水管１６の管内閉塞などを起こすことがない。なお、し渣圧入ポンプ１１の圧送管１２は汚水処理場１５に送水する送水管１６の前端に連結してもよいものである。
【００１２】
【発明の効果】
この発明は上記のように構成してあり、合流式ポンプ場における降雨初期に発生しやすい、一時的に高濃度で流下するし渣を調節し、送水ポンプの閉塞を回避して、同時にし渣の悪臭も防止できるし渣の圧送方法と圧送装置となるものである。即ち、従来の上記従来装置は、除塵機で掻揚げたし渣を破砕機で破砕して、ポンプにより吸込・圧送しているが、この際においても、高濃度すぎるとポンプ内部や配管での閉塞があった。そして、し渣を調整槽に混合した場合、し渣が水面に浮かびスカムを形成してポンプ圧送に弊害を与えていたものであるが、この発明にあっては、降雨初期の高濃度し渣を搬送に適した形状に全量破砕して一時貯留し、破砕したし渣を吸水槽に設置した送水ポンプの吐出配管側に圧入し、送水ポンプの吐出水とともに目的地まで圧送するので、ポンプが閉塞することもなく、し渣の流入濃度を低減させて平均化することができる。そして、建屋内からの搬出などが不要でポンプ設備で集約処理が可能となる。特別な脱臭装置を必要とせず、周辺環境を犯すことがなく作業が衛生的となる。また、送水ポンプの吐出配管に汚水処理場に送水する送水管と公共水域に排水する排水管を分岐して連結したので、深度の深い設備から地上部にし渣を排出するとしても、搬出設備、スペースが過大となることがない。
【図面の簡単な説明】
【図１】この発明に係るし渣圧送システムの概要図である。
【符号の説明】
１  ポンプ設備
３  除塵機
４  吸水槽
７  公共水域
９  破砕機
１０  ホッパー
１１  し渣圧入ポンプ
１３  送水ポンプ
１４  吐出配管
１５  汚水処理場
１６  送水管
１７  排水管
１８、１９  開閉弁
【図１】
2004358374.tif 000003